(57)【特許請求の範囲】
【請求項１】
一面側が補修対象のスレート板の波形部に対応する波形部になった硬質ウレタンフォーム切り出し体を硬質ウレタンフォームスラブから切り出し、前記硬質ウレタンフォーム切り出し体の両面のうち少なくとも一方の面に表面材を接着し、波形の金属板と硬質ウレタンフォームとを積層して成るウレタンボードを、その硬質ウレタンフォーム側から前記硬質ウレタンフォーム切り出し体の波形部とは反対側の面に接着してウレタンボード付き断熱材を得るとともに、前記スレート板と前記硬質ウレタンフォーム切り出し体の波形部との少なくとも一方側に接着剤を塗布して、前記ウレタンボード付き断熱材を、前記硬質ウレタンフォーム切り出し体の波形部が前記スレート板の波形部に嵌合する状態に前記スレート板に敷きつめるスレート屋根の補修方法。
【請求項２】
両面が偏平なウレタンフォーム切り出し体を硬質ウレタンフォームスラブから切り出し、前記硬質ウレタンフォーム切り出し体の両面のうち少なくとも一方の面に表面材を接着し、波形の金属板と硬質ウレタンフォームとを積層して成るウレタンボードを、その硬質ウレタンフォーム側から前記硬質ウレタンフォーム切り出し体に接着してウレタンボード付き断熱材を得るとともに、前記スレート板と硬質ウレタンフォーム切り出し体との少なくとも一方側に接着剤を塗布して、前記ウレタンボード付き断熱材を、前記硬質ウレタンフォーム切り出し体側から補修対象のスレート板に敷きつめるスレート屋根の補修方法。
【請求項３】
両面が偏平で、かつ、密度が１０ｋｇ／ｍ３〜２０ｋｇ／ｍ３の低密度の硬質ウレタンフォーム切り出し体を硬質ウレタンフォームスラブから切り出し、前記硬質ウレタンフォーム切り出し体の両面のうち少なくとも一方の面に表面材を接着し、波形の金属板と硬質ウレタンフォームとを積層して成るウレタンボードを、その硬質ウレタンフォーム側から前記硬質ウレタンフォーム切り出し体に接着してウレタンボード付き断熱材を得るとともに、前記ウレタンボード付き断熱材を、前記硬質ウレタンフォーム切り出し体側から補修対象のスレート板に敷きつめるスレート屋根の補修方法。
【請求項４】
補修対象のスレート板と、波形の金属板と硬質ウレタンフォームとを積層して成るウレタンボードとの少なくとも一方側に接着剤を塗布して、前記ウレタンボードを前記硬質ウレタンフォーム側から前記スレート板に敷きつめるスレート屋根の補修方法。
【発明の詳細な説明】
【０００１】
【発明の属する技術分野】
本発明はスレート屋根の補修方法に関する。
【０００２】
【従来の技術】
スレート屋根は経年により老巧化して、ひび割れや風化・雨漏りなどが発生し、見栄えも悪くなることから補修が必要になる。
【０００３】
従来、スレート屋根の補修方法としては、特開平５−２５８９１号公報に開示されているように、スレート板の上に下地材を固定し、この下地材を介して新規なスレート板を既存のスレート板に重ねて敷設するという方法があった。
【０００４】
また、特開平１１−８１５６５号公報に開示されているように、新規のスレート板に支持部材を設置して断熱材を重ね葺きする方法もあった。
【０００５】
【発明が解決しようとする課題】
しかしながら、上記従来のいずれのスレート屋根の補修方法でも、下地材や支持部材を既存のスレート板に設置し、その上に新規なスレート板や断熱材を重ねるために、補修対象の劣化したスレート板に集中荷重が加わるようになり、下地材を必ず母屋の上に設置しなければならなかった。
【０００６】
また、補修に当たっては、劣化したスレート板の上に載ることができないことから、足場の設置やネットの敷設などの安全対策が必要で、足場の設置等に手間がかかっていた。
【０００７】
その結果、従来の方法では補修コストが高くなるという問題があった。
【０００８】
本発明は、断熱性能を向上させながら補修コストを低廉化することができるスレート屋根の補修方法を提供する点にある。
【０００９】
【課題を解決するための手段】
請求項１による発明の構成・作用・効果は次の通りである。
【００１０】
［構成］
一面側が補修対象のスレート板の波形部に対応する波形部になった硬質ウレタンフォーム切り出し体を硬質ウレタンフォームスラブから切り出し、前記硬質ウレタンフォーム切り出し体の両面のうち少なくとも一方の面に表面材を接着し、波形の金属板と硬質ウレタンフォームとを積層して成るウレタンボードを、その硬質ウレタンフォーム側から前記硬質ウレタンフォーム切り出し体の波形部とは反対側の面に接着してウレタンボード付き断熱材を得るとともに、前記スレート板と前記硬質ウレタンフォーム切り出し体の波形部との少なくとも一方側に接着剤を塗布して、前記ウレタンボード付き断熱材を、前記硬質ウレタンフォーム切り出し体の波形部が前記スレート板の波形部に嵌合する状態に前記スレート板に敷きつめる。
【００１１】
［作用］
［イ］  補修対象のスレート板と前記硬質ウレタンフォーム切り出し体の波形部との少なくとも一方側に接着剤を塗布して、ウレタンボード付き断熱材を、その硬質ウレタンフォーム切り出し体の波形部が補修対象のスレート板の波形部に嵌合する状態にスレート板に敷きつめることで、硬質ウレタンフォーム切り出し体がスレート板に面接触した状態になる。
【００１２】
また、硬質ウレタンフォーム切り出し体をスレート板に強固に固定することができる。
【００１３】
［ロ］その結果、スレート板はウレタンボード付き断熱材の荷重を面で受けるようになる。また、スレート板の端から順に施工することで、ウレタンボード付き断熱材の上を歩行する作業者の荷重をスレート板が面で受けるようになる。
【００１４】
これにより、スレート屋根の所定の部位に上方から力が集中して加わるのを回避でき、ウレタンボード付き断熱材の上を歩行する作業者の安全を確保しやすくなって、足場や転落防止ネット等が簡単なもので済むようになる。
【００１５】
［ハ］そして、下地の施工や断熱施工を行う必要がなくなって工程数を少なくすることができる。
【００１６】
［ニ］硬質ウレタンフォーム切り出し体は硬質ウレタンフォームスラブから切り出すから、所望の厚さの硬質ウレタンフォーム切り出し体を得ることができ、例えば、住宅に要求される断熱厚み以上のかなり厚いものまで得ることができる。
【００１７】
［ホ］ウレタンボードは、波形の金属板と硬質ウレタンフォームとを積層して成るから、屋根葺き材を後から施工する必要がなく、工程数をさらに少なくすることができる。
【００１８】
また、請求項１の手段によれば、硬質ウレタンフォーム切り出し体の両面のうち少なくとも一方の面に表面材を接着するから、硬質ウレタンフォーム切り出し体の強度を高めることができる。
【００１９】
そして例えば、ウレタンボード付き断熱材をスレート板から突出しているボルトに突き刺すと、施工時におけるアンカー効果を得ることができるが、請求項１の手段によれば、上記のように硬質ウレタンフォーム切り出し体の両面のうち少なくとも一方の面に表面材を接着するから、ウレタンボード付き断熱材をスレート板から突出しているボルトに突き刺したときの硬質ウレタンフォーム切り出し体の割れを防止することができる。
【００２０】
割れが心配されない場合は表面材の接着を省略してもよい。
【００２１】
［効果］
従って、上記の作用［イ］〜［ホ］により、補修コストを低廉化することができ、しかも断熱効果を得ることができるスレート屋根の補修方法を提供することができた。
【００２２】
請求項２による発明の構成・作用・効果は次の通りである。
【００２３】
［構成］
両面が偏平なウレタンフォーム切り出し体を硬質ウレタンフォームスラブから切り出し、前記硬質ウレタンフォーム切り出し体の両面のうち少なくとも一方の面に表面材を接着し、波形の金属板と硬質ウレタンフォームとを積層して成るウレタンボードを、その硬質ウレタンフォーム側から前記硬質ウレタンフォーム切り出し体に接着してウレタンボード付き断熱材を得るとともに、前記スレート板と硬質ウレタンフォーム切り出し体との少なくとも一方側に接着剤を塗布して、前記ウレタンボード付き断熱材を、前記硬質ウレタンフォーム切り出し体側から補修対象のスレート板に敷きつめる。
【００２４】
［作用］
［へ］補修対象のスレート板と硬質ウレタンフォーム切り出し体との少なくとも一方側に接着剤を塗布して、ウレタンボード付き断熱材を、その硬質ウレタンフォーム切り出し体側から補修対象のスレート板に敷きつめるから、硬質ウレタンフォーム切り出し体がスレート板に面接触した状態になる。また、硬質ウレタンフォーム切り出し体をスレート板に強固に固定することができる。
【００２５】
その結果、上記の作用［ロ］と同様の作用を奏することができる。
【００２６】
［ト］また、上記の作用［ハ］，［ニ］，［ホ］と同様の作用を奏することができる。
【００２７】
［効果］
従って、上記の作用［へ］，［ト］により、補修コストを低廉化することができ、しかも断熱効果を得ることができるスレート屋根の補修方法を提供することができた。
【００４４】
請求項３による発明の構成・作用・効果は次の通りである。
【００４５】
［構成］
両面が偏平で、かつ、密度が１０ｋｇ／ｍ3〜２０ｋｇ／ｍ3の低密度の硬質ウレタンフォーム切り出し体を硬質ウレタンフォームスラブから切り出し、前記硬質ウレタンフォーム切り出し体の両面のうち少なくとも一方の面に表面材を接着し、波形の金属板と硬質ウレタンフォームとを積層して成るウレタンボードを、その硬質ウレタンフォーム側から前記硬質ウレタンフォーム切り出し体に接着してウレタンボード付き断熱材を得るとともに、前記ウレタンボード付き断熱材を、前記硬質ウレタンフォーム切り出し体側から補修対象のスレート板に敷きつめる。
【００４６】
［作用］
［カ］ウレタンボード付き断熱材を、両面が偏平で、かつ、密度が１０ｋｇ／ｍ3 〜２０ｋｇ／ｍ3 の低密度の硬質ウレタンフォーム切り出し体側から補修対象のスレート板に敷きつめるから、硬質ウレタンフォーム切り出し体がスレート板の波形部の頂部に当接することで窪んで、硬質ウレタンフォーム切り出し体がスレート板に面接触した状態になる。また、補修対象のスレート板に接着剤を塗布しなくても硬質ウレタンフォーム切り出し体をスレート板に固定できて、スレート板に接着剤を塗布する工程を省くことができる。
【００４７】
その結果、上記の作用［ロ］と同様の作用を奏することができる。
【００４８】
［ヨ］また、上記の作用［ハ］，［ニ］，［ホ］と同様の作用を奏することができる。
【００４９】
［効果］
従って、上記の作用［カ］，［ヨ］により、補修コストを低廉化することができ、しかも断熱効果を得ることができるスレート屋根の補修方法を提供することができた。
【００５６】
請求項４による発明の構成・作用・効果は次の通りである。
【００５７】
［構成］
補修対象のスレート板と、波形の金属板と硬質ウレタンフォームとを積層して成るウレタンボードとの少なくとも一方側に接着剤を塗布して、前記ウレタンボードを前記硬質ウレタンフォーム側から前記スレート板に敷きつめる。
【００５８】
［作用］
［ソ］補修対象のスレート板と上記のウレタンボードとの少なくとも一方側に接着剤を塗布して、ウレタンボード付き断熱材を硬質ウレタンフォーム側からスレート板に敷きつめることで、硬質ウレタンフォーム切り出し体がスレート板に面接触した状態になる。
【００５９】
また、硬質ウレタンフォーム切り出し体をスレート板に強固に固定することができる。
【００６０】
［ト］そして、上記作用［ロ］，［ハ］と同様の作用を奏することができる。
【００６１】
［ツ］ウレタンボードは、波形の金属板と硬質ウレタンフォームとを積層して成るから、屋根葺き材を後から施工する必要がなく、工程数をさらに少なくすることができる。
【００６２】
［効果］
従って、上記の作用［ソ］〜［ツ］により、補修コストを低廉化することができ、しかも断熱効果を得ることができるスレート屋根の補修方法を提供することができた。
【００６３】
【発明の実施の形態】
以下、本発明の第１〜第４実施の形態を図面に基づいて説明する。
【００６４】
［第１実施形態］
図１（イ），図１（ロ）に、倉庫の母屋１に複数枚のスレート板３をボルトで固定して形成したスレート屋根２を補修する方法（スレート屋根の補修方法）を示してある。
【００６５】
この方法は次の通りである。
【００６６】
1)  図１（イ）に示すように、一面側が補修対象のスレート板３の波形部４に対応する波形部５になった硬質ウレタンフォーム切り出し体６を硬質ウレタンフォームスラブから切り出す。この切り出しは、ボイマー製カッター（コンピュータ形状制御ワイヤーカッター）によって行うことができる。
【００６７】
スレート板３の波形は、波深さ３５ｍｍ・波ピッチ１３０ｍｍである。硬質ウレタンフォームの密度は、スレート板３が負担する重量や施工性を考慮すれば、３５Ｋｇ／m3〜４０Ｋｇ／m3程度のものが望ましい。
【００６８】
より高い強度、透湿抵抗を付与するために、偏平面側、また場合によっては波形部５側にも、紙面材等の表面材を接着する。
【００６９】
厚みが要求を満たせる場合には、面材付き硬質ウレタンボードから切り出すこともできる。
【００７０】
2)  波形の金属板７（ガルバリウム鋼板である。ガルバリウム鋼板２はアルミニウムと亜鉛とシリコンとから成る、アルミニウム−亜鉛を合金めっきした鋼板である。）と硬質ウレタンフォーム８とを積層して成るウレタンボード９を、その硬質ウレタンフォーム８側から硬質ウレタンフォーム切り出し体６の波形部５とは反対側の面に接着してウレタンボード付き断熱材１０を得る。
【００７１】
上記の接着、あるいは、1)の工程における表面材の接着に際しては、作業性の良さを考慮してゴム系の接着剤、耐久性、接着強度を考慮すればウレタン系、エポキシ系の接着剤が望ましい。また、接着剤スプレーがあれば望ましい。
【００７２】
3)  スレート板３の上にウレタン系接着剤をスプレー等で塗布する。そして、ウレタンボード付き断熱材１０を、硬質ウレタンフォーム切り出し体６の波形部５がスレート板３の波形部４に嵌合する状態にスレート板３に敷きつめる（図１（ロ）参照）。
【００７３】
この場合、ウレタンボード付き断熱材１０をスレート板３から突出しているボルトに突き刺すと、施工時におけるアンカー効果を得ることができる。また母屋１に専用の金具等で固定すれば、ウレタンボード付き断熱材１０を母屋１により強固に固定することができる。
【００７４】
［第２実施形態］
図２（イ），図２（ロ）に、倉庫の母屋１に複数枚のスレート板３をボルトで固定して形成したスレート屋根３を補修する方法（スレート屋根の補修方法）を示してある。
【００７５】
この方法は次の通りである。
【００７６】
1)  両面が偏平な硬質ウレタンフォーム切り出し体６を硬質ウレタンフォームスラブから切り出す。
【００７７】
2)  波形の金属板７（ガルバリウム鋼板である）と硬質ウレタンフォーム８とを積層して成るウレタンボード９を、その硬質ウレタンフォーム側から硬質ウレタンフォーム切り出し体６に接着してウレタンボード付き断熱材１０を得る。
【００７８】
3)  スレート板３の上にウレタン系接着剤をスプレー等で塗布する。そして、ウレタンボード付き断熱材１０を硬質ウレタンフォーム切り出し体６に敷きつめる。
【００７９】
上記1)〜3)の工程では、第１実施形態の方法の1)〜3)の工程で述べたと同様の手段・構成（例えば硬質ウレタンフォーム切り出し体６の切り出しに用いるカッターや、この硬質ウレタンフォーム切り出し体６の密度、表面材を接着すること等）を採用することができる（以下に述べる第３，第４実施形態においても同様である）。
【００９０】
［第３〜第４実施形態］
第３〜第４実施形態については図示はしないが、上記の第１〜第２実施形態と同様に、倉庫の母屋１に複数枚のスレート板３をボルトで固定して形成したスレート屋根３を補修する方法（スレート屋根の補修方法）である。
【００９２】
［第３実施形態］
1)  両面が偏平で、かつ、密度が１０Ｋｇ／ｍ３〜２０Ｋｇ／ｍ３の低密度の硬質ウレタンフォーム切り出し体６を硬質ウレタンフォームスラブから切り出す。
2)  硬質ウレタンフォーム切り出し体６の両面のうち少なくとも一方の面に表面材を接着し、波形の金属板７（ガルバリウム鋼板である）と硬質ウレタンフォーム８とを積層して成るウレタンボード９を、その硬質ウレタンフォーム側から硬質ウレタンフォーム切り出し体６に接着してウレタンボード付き断熱材１０を得る。
【００９３】
3)  スレート板３の上に接着剤を塗布することなく、ウレタンボード付き断熱材１０を硬質ウレタンフォーム切り出し体６に敷きつめる。
【００９７】
［第４実施形態］
1)  補修対象のスレート板３にウレタン系接着剤を塗布する。
【００９８】
2)  波形の金属板７（ガルバリウム鋼板である）と硬質ウレタンフォーム８とを積層して成るウレタンボード９を、その硬質ウレタンフォーム８側からスレート板３に敷きつめる。
【００９９】
［別実施形態］
上記の実施形態で挙げた数値は一例であり、別の数値であってもよい。
【図面の簡単な説明】
【図１】スレート屋根の補修方法を示す図
【図２】第２実施形態のスレート屋根の補修方法を示す図
【符号の説明】
３      スレート板
４，５  波形部
６      硬質ウレタンフォーム切り出し体
７      金属板
８      硬質ウレタンフォーム
９      ウレタンボード
１０    ウレタンボード付き断熱材
【図１】
0003983551.tif 000002
【図２】
0003983551.tif 000003